(57)【要約】【課題】多様化するユーザーニーズに対応すべく、複雑な構造や操作を必要とすることなく、食品の形状や種類、あるいは使い勝手に応じて簡単に棚容器の容積や形態を変えることができるようにし、貯蔵空間の効率的活用ができる冷蔵庫を提供する。【解決手段】貯蔵室の内側面に設けた支持部に係止して配置した棚部材１１と、この棚部材を幅方向に分割するように棚幅のほぼ中央部に前後に亙って設けられ係合部１３ａ、１３ｂによって棚部材に着脱自在に取り付けられたレール部材１３と、一側辺をレール部材に係合し他側辺を前記棚部材の一方の側縁に係合することで個々に棚部材上を前後摺動可能に、且つ着脱自在に併置した容器１２とを設けたことを特徴とする。【選択図】  図３
2004353941.tif 000002
【特許請求の範囲】
【請求項１】
貯蔵室内側面に設けた支持部に係止して配置した棚部材と、この棚部材を幅方向に分割するように棚幅のほぼ中央部に前後に亙って設けられ係合部によって棚部材に着脱自在に取り付けられたレール部材と、一側辺をレール部材に係合し他側辺を前記棚部材の一方の側縁に係合することで個々に棚部材上を前後摺動可能に、且つ着脱自在に併置した容器とを設けたことを特徴とする冷蔵庫。
【請求項２】
棚部材はその上面を平板として貯蔵品の載置機能を有するとともに、レール部材を係止する係合部を幅方向中央の前後端部に形成し、レール部材を凹凸係合により棚上面に取り付けたことを特徴とする請求項１記載の冷蔵庫。
【請求項３】
容器の両側後端には係合凸部を形成するとともにレール部材における容器摺動面の後半部にはレール上面を設けて棚部材前端から前方に引き出した容器後端の上方回動を阻止するようにしたことを特徴とする請求項１または２記載の冷蔵庫。
【請求項４】
レール部材の容器摺動面の前半部分には中央の仕切リブに平行する凸リブを形成してガイド凹溝を設け、このガイド凹溝に容器の外側方に逆Ｌ字状に突出する係合片を係合させて容器摺動時のガイドレールとしたことを特徴とする請求項１乃至３のいずれかに記載の冷蔵庫。
【請求項５】
容器上縁の両側フランジ面に係止孔を穿設し、この係止孔に嵌入する係止端部を有するビンラックを容器上に着脱自在に設置可能としたことを特徴とする請求項１乃至４のいずれかに記載の冷蔵庫。
【発明の詳細な説明】
【０００１】
【発明の属する技術分野】
本発明は冷蔵庫に係り、特に貯蔵室内に設けられる棚上を機能的に区分活用したものに関する。
【０００２】
【従来の技術】
近年、冷蔵庫は食生活の多様化とともに収納量についても大形化の傾向にあり、その形態としては、上部に最も貯蔵物収納容積の大きい冷蔵室を設置し、その下部に冷凍室あるいは野菜室、さらには製氷室や多温度切替室を設置している。前記冷蔵室は、収納容積が大きいことからも、その両側を枢支部とした観音開き式の扉で前面開口部を開閉自在に閉塞しており、冷凍室と野菜室などは、収納物の出し入れ操作の利便性から扉の貯蔵室側に容器を取り付け、引出し式とするものが多くなっている。
【０００３】
しかしながら、冷蔵庫の外形サイズは国内における台所事情など設置条件との関係からも幅、奥行き、高さ寸法とも限界に近くなっており、これによって貯蔵空間の拡大も限られてきたことから、さらなる使い勝手の向上要求が強くなっている。
【０００４】
これに対して、本発明の出願人が特願２００２−２１４４３１として出願したものであって、冷蔵室の上段両側壁に固定レールを配置し、この固定レール内を水平方向に摺動する可動レールに回動自在に前後アームを軸支して両側のアーム間を連結する棚受けに棚容器を載置し、前記可動レールで棚容器を前方移動するとともに、アームの回動によって棚容器を水平状態を保持したまま上下移動可能とすることによって、使用者の手が届きやすく使い勝手を良好にした棚装置が提案されている。
【０００５】
【発明が解決しようとする課題】
前記構成の棚容器は、冷蔵室の最上段にあって高さ位置が高いことから、一般使用者の手が奥方まで届きにくく、使いにくかった棚部材の使い勝手が良好となる利点を有する反面、前後移動および水平状態を保持したまま前方下方へ上下移動させるものであるため、棚移動機構が複雑となり、構成部品が多くなってコストが高くなる問題があった。
【０００６】
また、棚移動機構を保持する固定レールは、内箱、すなわち断熱材を発泡充填したキャビネットに固着されており、断熱キャビネットの構成も機種専用となって互換性がないことから、棚容器の上下移動機能を必要としない消費者の希望を満足するものではなかった。
【０００７】
本発明はこの点に着目してなされたもので、多様化するユーザーニーズに対応すべく、複雑な構造や操作を必要とすることなく、食品の形状や種類、あるいは使い勝手に応じて簡単に棚容器の容積や形態を変えることができるようにし、貯蔵空間の効率的活用ができる冷蔵庫を提供するものである。
【０００８】
【課題を解決するための手段】
上記課題を解決するために、請求項１記載の冷蔵庫の発明は、貯蔵室内側面に設けた支持部に係止して配置した棚部材と、この棚部材を幅方向に分割するように棚幅のほぼ中央部に前後に亙って設けられ係合部によって棚部材に着脱自在に取り付けられたレール部材と、一側辺をレール部材に係合し他側辺を前記棚部材の一方の側縁に係合することで個々に棚部材上を前後摺動可能に、且つ着脱自在に併置した容器とを設けたことを特徴とするものである。
【０００９】
この構成により、棚部材上を貯蔵室の全幅に亙って広く使用したり、倒れやすい貯蔵品については小分けして容器内で安定して貯蔵できるとともに、容器自体を前後摺動可能にして使い勝手を向上でき、さらには、これら容器やレール部材を容易に着脱できるようにしたので、多様な使用者のニーズに簡単な構成で対応することができる。
【００１０】
【発明の実施の形態】
以下、図面に基づき本発明の一実施形態について説明する。図１は家庭用冷凍冷蔵庫（１）の縦断面図であり、外箱（２）の内側に断熱材（３）を介して設けた内箱（４）により貯蔵空間を形成し、この貯蔵空間を断熱仕切壁などによって区分して複数の貯蔵室（５）（６）（７）を設けている。（５）は本体の上部に配置した冷蔵室であり、その使用頻度から最大の収納容積を有するとともに、本体両側に設けたヒンジ装置により左右に区分した冷蔵室扉（８）を回動自在に枢支し、観音開き方式によってその前面開口部を閉塞している。
【００１１】
冷蔵室（５）の下部には、仕切板を介して野菜などを収納する野菜室（６）を配置し、野菜室の下方には、断熱仕切壁を介して比較的小容積の温度切替室（９）と図示しない製氷貯氷室を左右に区分配置し、その下部には冷凍食品を収納する冷凍室（７）を配置している。
【００１２】
冷蔵室（５）は、従来と同様に、背面に設けた冷却器やファンによって冷気を室内に導入し冷却する構成であり、室内は棚（１０）によって複数の収納部に区分して冷蔵食品の貯蔵空間を形成するとともに、冷蔵室扉（８）の内側にも収納ポケット部（８ａ）を形成している。
【００１３】
（１１）は、冷蔵室（５）の最上部に設置された合成樹脂で成形された棚部材であり、図２に示すように、室内の全幅に亙って平板状をなし、両側を貯蔵室内側面に設けた棚受け（４ａ）に係止して配置されている。そして、棚部材（１１）の両側縁には、詳細を後述する容器（１２）を摺動可能に支持する支持ガイド（１１ｃ）を立設するとともに、棚幅のほぼ中央部の前後端には、これも後述するレール部材（１３）を係止する前係止部（１１ａ）および後係止部（１１ｂ）を突設している。前記前係止部（１１ａ）および後係止部（１１ｂ）は、棚面上にわずかに突出して形成されているものであり、前記容器（１２）やレール部材（１３）を配置しない場合は、棚面上を通常の載置棚として活用することができる。
【００１４】
レール部材（１３）は、図２、および棚部材（１１）の右側に容器（１２）を配置した状態である図３に示すように、前記棚部材（１３）を幅方向に分割するように棚幅のほぼ中央部に前後に亙って設けられ、前記棚部材の前係止部（１１ａ）と係合する前係合部（１３ａ）、および後係止部（１１ｂ）と係合する後係合部（１３ｂ）によって棚部材（１１）に着脱自在に取り付けられている。
【００１５】
棚部材（１１）の前係止部（１１ａ）は、図３のＩＶ−ＩＶ線に沿う断面図である図４に示すように、棚前端から上面に少許突出するとともにその上方に両側へ張り出した爪（１１ｄ）を設けており、レール部材の前係合部（１３ａ）の前端に形成した二股状の凹部を前記前係止部（１１ａ）に当接し、さらに爪（１１ｄ）に嵌合させてレール部材（１３）の前方への移動を阻止している。
【００１６】
また、棚部材の後係止部（１１ｂ）は、背部立ち上がり面の中央部から前方へ矢印状に突出しており、後端が前端と同様に二股状に拡開したレール部材の後係合部（１３ｂ）を後係止部（１１ｂ）の矢印状部に係合させて左右および後方への移動を阻止して係止するとともに、図３のＶ−Ｖ線に沿う断面である図５に示すように、後係合部（１３ｂ）の下方に形成した後方への突出爪（１３ｃ）を棚部材の後係止部（１１ｂ）の下方に形成した凹部（１１ｅ）に嵌入することで、上方への浮き上がりをも阻止して両者を固定している。
【００１７】
棚部材（１１）、レール部材（１３）および容器（１２）の係合関係を示す正面からの断面図である図６、および容器（１２）を引き出した状態の縦断面図である図７に示すように、前記棚部材の前係止部（１１ａ）の近傍には段部（１１ｆ）を形成しており、この段部（１１ｆ）形状にレール部材（１３）の底面は合致するようにしていることから、レール部材（１３）を棚部材（１１）に取り付ける場合は、棒状のレール部材（１３）をやや撓めてその前後の係合部（１３ａ）（１３ｂ）を棚部材（１１）の前後係止部（１１ａ）（１１ｂ）間にはめ込むとともに、突出爪（１３ｃ）を棚部材の凹部（１１ｅ）に係合させることで固定できる。
【００１８】
その際、レール部材の前後係合部（１３ａ）（１３ｂ）の両端は二股形状になっているため、棚部材の前後係止部（１１ａ）（１１ｂ）への進入ガイドとなり、レール部材（１３）を撓めて嵌入する作業を容易におこなうことができる。そして、棚部材（１１）に嵌入したレール部材（１３）は、上記係合構成によってがたつくことなくしっかり固定される。
【００１９】
棚部材上の左右に容器を載置した斜視図である図８のＩＸ−ＩＸ線に沿う断面図である図９に示すように、レール部材（１３）における容器摺動面（１３ｄ）の中央には前後に亙る仕切リブ（１３ｅ）を設けており、さらに前記摺動面（１３ｄ）の前半部分には仕切リブ（１３ｅ）に平行する凸リブ（１３ｆ）を形成し、この仕切リブ（１３ｅ）と凸リブ（１３ｆ）との間を容器（１２）に対するガイド凹溝（１３ｇ）としている。
【００２０】
また、図２および図７に示すように、レール部材（１３）の容器摺動面（１３ｄ）の後半部分にはレール上面（１３ｈ）を設け、容器（１２）の両側の後端下部に形成した係合凸部（１２ｃ）との係合で、容器（１２）を棚部材（１１）の前端から前方に引き出した際の容器後端の浮き上がりを阻止するようにしている。
【００２１】
前記容器（１２）は、図１０に示すように、周囲に立ち上がり面（１２ａ）およびフランジ（１２ｂ）を形成した皿状をなし、棚部材（１１）上に前記レール部材（１３）を中心にして左右に併置されている。容器の両側面の後端には前記係合凸部（１２ｃ）を設けるとともに、前後方向の中央部からやや前寄りの位置には外方に突出する断面逆Ｌ字状の係合片（１２ｄ）を設けており、一側辺は、この係合片（１２ｄ）と前記レール部材のガイド凹溝（１３ｇ）とを係合させ、外側辺は、前記棚部材（１１）側縁の支持ガイド（１１ｃ）に係合させることで、棚部材（１１）上に前後摺動可能に配置されている。
【００２２】
容器（１２）の摺動時、前記レール部材のガイド凹溝（１３ｇ）は逆Ｌ字状の係合片（１２ｄ）のガイドレールとなって容器（１２）を左右にばたつくことなくスムーズに前後移動でき、容器（１２）を棚部材（１１）の前端から前方に引き出した場合は、容器の両側後端に設けた前記係合凸部（１２ｃ）が前記レール上面（１３ｈ）との係合により、重量のよる容器（１２）前部の下方への回動による浮き上がりを防ぐことができる。
【００２３】
前方へ所定距離移動した容器（１２）は、図７に示すように、前記係合片（１２ｄ）がレール部材（１３）の先端ストッパ（１３ｉ）に当接することで前方への移動を阻止され、その際、容器後端の係合凸部（１２ｃ）はレール上面（１３ｈ）の前端と係合する位置関係にしており、容器（１２）の前方および上方への回動離脱がないようにしている。
【００２４】
なお、容器（１２）をより前方へ引き出したい場合は、前記レール上面（１３ｈ）の位置を前半部分に形成することで、容器の前下方回動の阻止点を前部に移動させればよく、その際は、容器の前下方への回動阻止のためのレール強度を確保するとともに、容器着脱用の間隙を適宜設けるようにする。
【００２５】
前記容器（１２）を棚上面から取り外す場合は、前方へ引き出しながら上方へ持ち上げればよく、また、各容器の前方への摺動引き出しは左右独立しておこなうことができるものであり、棚上への設置も、図３に示すように、棚部材（１１）の片側には設置せず、棚面として活用することも自由にできる。
【００２６】
しかして、容器（１２）の上縁両側のフランジ面（１２ｂ）には、図１０、図１１に示すように、中央部に適当間隔を設けて２つの係止孔（１２ｅ）を穿設し、この係止孔（１２ｅ）に嵌入する係止端部（１４ａ）を有してＷ字状の抱持部（１４ｂ）を形成した棒状体からなるビンラック（１４）を着脱自在に設けており、このビンラック（１４）により、図示しないワインボトルやビールビンを安定して収納保存することができる。
【００２７】
また、容器（１２）上をビンラックとして使用しない場合は、ビンラック（１４）を係止孔（１２ｅ）から取り外し、図１２に示すように、容器（１２）の背面近傍に穿設した係止端部（１４ａ）２つ分の係止孔（１２ｅ´）に嵌入することで、容器内スペースを阻害することなくビンラック（１４）を片づけることができる。
【００２８】
なお、ビンラック（１４）は、上記のように２本設けずとも１本でも容器（１２）の底面端部を利用することでビンを保持することは可能であり、また、前記ビンラック（１４）の抱持部（１４ｂ）にシリコンゴムなどの透明な軟質樹脂チューブで形成したスぺーサ（１４ｃ）を配することで、ビン収納時の衝撃や当接音を緩和し、載置状態におけるビンの滑りを防ぐことができる。
【００２９】
以上の実施例構成によれば、一般の冷蔵庫用収納部として使いにくい冷蔵室（５）の最上段の棚部材（１２）を、通常の全幅載置棚としてだけでなく、レール部材（１３）で左右に分割するとともに、必要に応じて一方あるいは双方を前後摺動可能な容器（１２）として引き出し自在にすることもでき、さらに、容器（１２）上をビンラック（１４）とすることも可能として、多様な使い分けができる使い勝手のよい多機能棚を得ることができる。しかも、これらの各機能を簡単な構成で取り付け取り外しができ、容易に変更可能であるとともに、設置された容器（１２）やレール部材（１３）が摺動時にがたつくことなく、確実に保持固定できる効果を有する。
【００３０】
なお、上記実施例においては、冷蔵室における最上段の棚を多機能棚とした例を説明したが、これに限るものではなく、下段の棚や、引き出し棚方式の野菜室や冷凍室構成に適用することができるのは言うまでもない。
【００３１】
【発明の効果】
以上説明したように、本発明の冷蔵庫によれば、棚部材上を貯蔵室の全幅に亙って広く使用したり、倒れやすい貯蔵品については小分けして容器内で安定して貯蔵できるとともに、容器自体を前後摺動可能にして使い勝手を向上でき、さらには、これら容器やレール部材を容易に着脱できるようにしたので、多様な使用者のニーズに簡単な構成で対応することができる。
【図面の簡単な説明】
【図１】本発明の一実施形態を示す冷蔵庫の縦断面図である。
【図２】図１における冷蔵室内の棚部材、レール部材および容器を分解して示す斜視図である。
【図３】図２の棚、レール部材、容器の結合状態を示す斜視図である。
【図４】図３のＩＶ−ＩＶ線に沿う断面詳細図である。
【図５】図３のＶ−Ｖ線に沿う断面詳細図である。
【図６】図３における棚関連部の係合関係を示す正面からの断面図である。
【図７】容器を引き出した状態を示す図３の縦断面図である。
【図８】図３に対して左右に棚部材を配置した状態を示す斜視図である。
【図９】図８のＩＸ−ＩＸ線に沿う要部の断面詳細図である。
【図１０】図３に示す容器の斜視図である。
【図１１】図８におけるビンラックの斜視図である。
【図１２】図８に対してビンラックを容器背面に収納した状態を示す斜視図である。
【符号の説明】
１…冷蔵庫本体        ４…内箱              ４ａ…棚受け
５…冷蔵室            １０…棚                １１…棚部材
１１ａ…前係止部        １１ｂ…後係止部        １１ｃ…支持ガイド
１１ｄ…爪              １１ｅ…凹部            １１ｆ…段部
１２…容器              １２ａ…立ち上がり面    １２ｂ…フランジ
１２ｃ…係合凸部        １２ｄ…係合片          １２ｅ、１２ｅ´…係止孔
１３…レール部材        １３ａ…前係合部        １３ｂ…後係合部
１３ｃ…突出爪          １３ｄ…容器摺動面      １３ｅ…仕切リブ
１３ｆ…凸リブ          １３ｇ…ガイド凹溝      １３ｈ…レール上面
１３ｉ…先端ストッパ    １４…ビンラック        １４ａ…係止端部
１４ｂ…抱持部          １４ｃ…スペーサ
【図１】
2004353941.tif 000003
【図２】
2004353941.tif 000004
【図３】
2004353941.tif 000005
【図４】
2004353941.tif 000006
【図５】
2004353941.tif 000007
【図６】
2004353941.tif 000008
【図７】
2004353941.tif 000009
【図８】
2004353941.tif 000010
【図９】
2004353941.tif 000011
【図１０】
2004353941.tif 000012
【図１１】
2004353941.tif 000013
【図１２】
2004353941.tif 000014